【手続補正書】
【提出日】平成19年5月23日(2007.5.23)
【手続補正１】
【補正対象書類名】明細書
【補正対象項目名】全文
【補正方法】変更
【補正の内容】
【書類名】明細書
【発明の名称】コマセ籠
【特許請求の範囲】
【請求項１】  釣り糸に針と共に用いる集魚用のコマセ籠であって、前記コマセ籠は開閉自在の容器で構成され、容器を開いた状態でコマセやコマセとサシエを詰め、閉じた状態で前記コマセを塊状に握って得られるダンゴ材を容器の外周又は外周の一部を包み込み、釣糸投下時海又は水中でダンゴ材が崩れて容器が開放されてコマセやコマセとサシエを撒き散らすことができるようにしたことを特徴とするコマセ籠。
【発明の詳細な説明】
【０００１】
【産業上の利用分野】
発明は磯釣りや波止釣りを行う際の、サシエとコマセを同調させる釣りの仕掛けに関するものである。
【０００２】
【従来の技術】
今日の磯釣りや波止釣りにおける釣法として最も大切な点は、エサ取りの被害を受けず狙ったタナへサシエを無事に届け、そのタナへ柄杓で撒いたコマセを同調させることである。そのためにはタナの深度や海象を読んで、コマセの調合、そのコマセを撒く場所や量及びタイミングを習得しなければならない。しかし極めて難しいが故に今日、サシエとコマセの同調を図るための仕掛けが使われている。図１〜３に、その代表的な仕掛けを示す。コマセ網（図１）は良く知られた仕掛けであるが、コマセを撒くためにシャクリ操作を要する。さらに、コマセ網の中にサシエを入れて投入することはできない。遠投コマセ籠（図２）はサシエも入れることが出来るしシャクリも要しないが、仕掛けが重い。さらに、心棒へサシエが巻き付くことが多々ある。いずれも仕掛けを中層で支えるために浮力の強いウキを使用する必要があり、微妙な当りを高感度のウキ（浮力の弱いウキ）で釣る仕掛けとしては使えない。一方、このような仕掛けによらないで係る目的を解決する手段として、ダンゴ釣り（図３）がある。これはコマセを拳大のダンゴに握って成形し、その中へサシエを包んで投入する釣法であるが、ダンゴ材とするコマセの調合や握り方及び投げ方などが難しく熟練を要する。
【０００３】
【発明が解決しようとする課題】
したがって本発明は、簡単にして軽快・確実なサシエとコマセの同調を図る仕掛けを提供するとともに、この仕掛けの特徴を活かして新しい釣法を可能にすることである。
【０００４】
【課題を解決するための手段】
以下に本発明の構成を示す。
【０００５】
（１）釣り糸に針と共に用いる集魚用のコマセ籠であって、前記コマセ籠は開閉自在の容器で構成され、容器を開いた状態でコマセやコマセとサシエを詰め、閉じた状態で前記コマセを塊状に握って得られるダンゴ材を容器の外周又は外周の一部を包み込み、釣糸投下時海又は水中でダンゴ材が崩れて容器が開放されてコマセやコマセとサシエを撒き散らすことができるようにしたことを特徴とするコマセ籠。
【０００６】
本発明の構造を、具体的には図４に示すように、パイプを縦割りにして左容器１と右容器２とし、ヒンジ３にて組み合わせ上下開閉するようにしてある。各容器の合わせ面には張り出し４と５を設けている。これによって、ヒンジ３に多少のガタがあっても合わせ易くなっている。左容器１と右容器２の下端には、同じように分割した左輪６と右輪７を固定しており、左容器１と右容器２を合わせた場合に、後述の重り１１が鎮座する座となる。左容器１の上端には、ミチ糸１２へ繋ぐ胴突き糸８が取り付けてあり、その中間にエダス１３を繋ぐハリス止１０を設けている。一方、右容器２の上端には、末端に重り１１を繋いだ胴突き糸９が取り付けてある。本発明を仕掛けとして組み込むには、ミチ糸１２へ胴突き糸８を繋ぎ、ハリス止１０にエダス１３を繋いで完了する。
【０００７】
【作用】
次に本発明の使い方と作用を説明する。図５は、仕掛けを投入する前の準備を示している。左容器１と右容器２を合わせてから、重り１１を上方から落とし込み、左輪６と右輪７で構成される座へ鎮座させる。この状態にすると、重り１１がクサビとなって左容器１と右容器２は開閉をロックする。次に、エダス１３に付けたサシエを上方から落とし込み、コマセも同じ要領で入れる。これで投入の準備は完了する。この時、コマセとしてサシエと同じものを使用すれば効果的と言われている。もちろん、違えてもかまわない。図６は投入後、本発明が着底した直後の状態を示している。着底して重り１１が突き上げられるか又は本発明が横倒しになって、重り１１が左輪６と右輪７で構成される座から転げ落ちる。その結果、左容器１と右容器２のロックが外れて開となり、サシエとコマセが外へ出てくる。その後は図７のような状態となって、胴突き仕掛けのウキ釣りができる。なお、タナの変更はエダス１３の取り付け位置を変えてもよいが、胴突き糸９の長さを変える方が手軽である。再投入のために仕掛けを引き上げる場合、本発明による抵抗は小さいので気にならない。この点、実験にて確認している。
【０００８】
【実施例】
図８は、座から外れた重り１１が本発明の中で留まらないようにした実施例であり、試作して作用を確認している。重り１１が外れて乗っかる個所を大きく切り欠いて、重りが本発明の外へ出易くしてある。なお、コマセやサシエの抜け落ちを防ぐために、仕切り１４を新たに設けている。図９は、本発明の開閉制御を重り１１で行うのでなく、ダンゴ材に包んで閉状態とし、投入後、ダンゴ材が海水の浸透で崩れることによって開状態とするように使用した実施例である。したがって、重り１１は上方から落とし込む、又は下方から当てる、いすれでもかまわない。さらに図９は本発明の全体をダンゴで包み込んでいるが、一部を包んで閉状態にすることも可能である。なお、ダンゴ材とは市販のコマセを調合して作ったもの、又は代用可能なものの総称として本説明に用いている。図１０は重り１１の代わりにエダス１３を繋いでハリスとし、従来のダンゴ釣り仕掛けとして利用した実施例を示す。この実施例では、魚の当りがあった場合、本発明が抵抗とならないように胴突き糸８と９を一本化した胴突き糸１５とし、本発明への繋ぎの部分をガイド１６にして胴突き糸１５がスルーするようにしてある。したがって、ハリスの引き込みに対して本発明は抵抗とならない。なお胴突き糸１５には結び目と、その上にはガイド１６の孔径より大きなシモリ１７（試作品の場合）を通して、本発明が抜け落ちないようにしている。
【０００９】
図１１〜１４は、本発明をダンゴ釣りに特化した実施例を示す。最初は、前掲図４の構造から左輪６と右輪７を除き、代わりに仕切り１４を設けてサシエが抜け落ちないようにした構造（図１１）、単に左容器１と右容器２を一体化した構造（図１２）、この実施例から外面の一部に開口部を設けた構造（図１３）、ヒンジ３を左容器１と右容器２の上端に設けて下端が左右に開閉するようにした構造（図１４）、いずれもダンゴ材で全体または一部を包むことによって閉とし、ダンゴ材が崩れて開とする点が特徴である。なお、図１２に示した実施例の場合は、サシエを下方から入れて、次ぎにダンゴ材を詰めるだけで使用することもできる。上部のメッシュ１８は、サシエが上部から出ないように張ってある。図１３の実施例は、どちらの方向からサシエを入れてもかまわない。さらに、この実施例はダンゴで包むと開口部が弾力で閉じるようにする、又は構造的に左右開閉させることも可能である。図１４の実施例はミチ糸１２を本発明の中心に通すため、右容器２の合わせ面に遮蔽板１９を張ってサシエを右容器２側へ入れることにより、サシエがミチ糸１２に絡み付くことを防いでいる。さらに遮蔽板１９は、左容器１へコマセを強く詰め込んでも、その圧迫からサシエを守る働きを有する。
【００１０】
【発明の効果】
本発明により、コマセとサシエの同調が軽快・確実に行えるようになった。ダンゴ釣り仕掛けとして利用可能な点も効果が大きい。従来、ダンゴ釣りは初心者に極めて難しい釣法であった。しかし本発明によれば、左容器１と右容器２を合わせて形成した容器にサシエと同じものをコマセとして入れて後、容器の外側をダンゴ材で単に強く握りさえすれば良い。強く握っても、容器に入れたコマセは潰れないので、きれいな姿でバラケさすことができる。したがって本発明は、ダンゴ釣りで最も難しいダンゴの握り方を簡単に解決するとともに、従来のダンゴ釣りでは不可能であったサシエと同じコマセで同調が図れるようになったので、新しい釣法といえる。
【図面の簡単な説明】
【図１】従来の仕掛けを説明した図である。（コマセ網）
【図２】従来の仕掛けを説明した図である。（遠投コマセ籠）
【図３】従来の仕掛けを説明した図である。（ダンゴ釣り）
【図４】本発明の構造を説明した図である。
【図５】本発明の投入準備状況を示した図である。
【図６】本発明を投入し、着底した直後の状況を示した図である。
【図７】本発明が投入した後、安定した状況を示した図である。
【図８】本発明の基本構造の形を角形に変更した図である。
【図９】本発明の開閉制御をダンゴ材で行った図である。
【図１０】本発明をダンゴ釣り仕掛けとして使用した図である。
【図１１】本発明をダンゴ釣りに特化した構造（座の除去）を示した図である。
【図１２】本発明をダンゴ釣りに特化した構造（一体化）を示した図である。
【図１３】本発明をダンゴ釣りに特化した構造（左右開閉も可）を示した図である。
【図１４】本発明をダンゴ釣りに特化した構造（下端左右開閉）を示した図である。
【符号の説明】
１  左容器
２  右容器
３  ヒンジ
４  張り出し（左）
５  張り出し（右）
６  左輪
７  右輪
８  胴突き糸（左容器１用）
９  胴突き糸（右容器２用）
１０  ハリス止
１１  重り
１２  ミチ糸
１３  エダス
１４  仕切り
１５  胴突き糸（胴突き糸８、９を一本化したもの）
１６  ガイド
１７  シモリ
１８  メッシュ
１９  遮蔽板
【手続補正２】
【補正対象書類名】図面
【補正対象項目名】全図
【補正方法】変更
【補正の内容】
【図１】
2002238426.tif 000001
【図２】
2002238426.tif 000002
【図３】
2002238426.tif 000003
【図４】
2002238426.tif 000004
【図５】
2002238426.tif 000005
【図６】
2002238426.tif 000006
【図７】
2002238426.tif 000007
【図８】
2002238426.tif 000008
【図９】
2002238426.tif 000009
【図１０】
2002238426.tif 000010
【図１１】
2002238426.tif 000011
【図１２】
2002238426.tif 000012
【図１３】
2002238426.tif 000013
【図１４】
2002238426.tif 000014